(57)【要約】【技術課題】容量オーバー、トラッキング現象等により火災が発生するのをコンセントプラグの部分で防止するための装置を提供する。【解決手段】アダプター本体４内にアダプター本体４の引き抜き用のロッド８を組み込み、このロッド４をスプリング９の力に抗して押し込んでハンダ１０で止めておき、アダプター本体４が一定温度以上に上昇するとハンダ１０が溶解して前記ロッド８を解放し、前記スプリング９の力でプラグ形成面５ａからロッド８を突出させてアダプター本体４をソケット２から引き抜く。【選択図】図２
2009043434.tif 000002
【特許請求の範囲】
【請求項１】
ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記アダプター本体のプラグ形成面に形成されたロッド組込穴内に出入り自在に組み込まれたアダプター本体引き抜き用のロッドと、
ｃ．前記ロッド組込穴の奥内に組み込まれていて、前記ロッドをプラグ形成面から突出させるスプリングと、
ｄ．前記ロッド組込穴内にロッドを前記スプリングの力に抗して押し込んで止めておき、アダプター本体が一定温度以上に上昇すると溶解して前記ロッドを解放し、前記スプリングの力でプラグ形成面からロッドを突出させてアダプター本体をソケットから引き抜く感熱手段と、
ｅ．から成る電気コンセントにおける火災発生防止装置。
【請求項２】
ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記アダプター本体のプラグ形成面に形成されたロッド組込穴内に出入り自在に組み込まれたアダプター本体引き抜き用のロッドと、
ｃ．前記ロッド組込穴の奥内に組み込まれていて、アダプター本体が一定温度以上に上昇すると熱膨張して前記ロッドをプラグ形成面から突出させてアダプター本体をソケットから引き抜く熱膨張材と、
ｅ．から成る電気コンセントにおける火災発生防止装置。
【請求項３】
ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記プラグとコンセント間をアダプター本体内において導通する導通片と、
ｃ．前記導通片は一部で切断されていて、この切断部を結線し、前記アダプター本体の温度が一定温度以上に上昇すると溶解して前記結線状態を解除するハンダと、
ｄ．前記導通片の切断部において、ハンダが溶解したときに導通片の一方又は双方に対して離れる方向に力を付与する弾性体と、
ｅ．から成る電気コンセントにおける火災発生防止装置。
【請求項４】
前記導通片の切断部において、前記ハンダが溶解して導通片が弾性体の力で変位したときに、この変位に連動してアダプター本体から露出して導通状態がＯＦＦとなっていることを示すインジケータをアダプター本体の一部に取り付けて成る請求項３に記載の電気コンセントにおける火災発生防止装置。
【請求項５】
前記プラグ本体の一部に警報器を取り付け、前記アダプター本体が電源ソケットから引き抜かれたとき、又は導通片がＯＦＦとなったときに前記警報器の電源をＯＮに制御して警報音を発生するための警報回路を付加して成る請求項１〜４のいずれか１項に記載の電気コンセントにおける火災発生防止装置。
【発明の詳細な説明】
【技術分野】
【０００１】
本発明は、電気コンセントの部分が使用電力容量のオーバー、たこ足配線、電気コードの圧迫、トラッキング現象等により発熱し、これが火災の原因となるのを防止する火災発生防止装置に関する。
【背景技術】
【０００２】
一般の家庭等において、コンセントに接続した電気器具の容量が大き過ぎたり、たこ足配線を行ったり、電気コード上に家具が載って圧迫したり、埃がコンセントとプラグとの間に付着してトラッキング現象を引き起こしたりすると、これが火災発生の原因となる。
このような観点から、次のような提案が行われている。
１．特開２００３−１９７３０１号公報
この内容は、トラッキング火災の防止を目的とするものであり、その内容は「電      源プラグ本体２で端子刃３が突設されるプラグ面５の一部９を凹状に形成し、この      プラグ面５の一部９にその一の端部４ｃを収納するとともに端子刃３に沿って覆設      されるジャバラ状のカバー４を設け、このジャバラ状のカバー４の他端部４ａは前      記コンセントに当接するようにコンセント表面と平行な面を有するように形成」し      たものである。
しかし、この内容では、トラッキングの原因となる埃の付着防止効果は期待でき      るが、長い期間内にはジャバラの隙間から埃が侵入して付着することは防止できな      い。また、プラグがソケットに正しく差し込まれるとは限らないばかりか、最初は      正しく差し込まれていても、物が当ったりしてプラグが傾くと、やはり埃の侵入を      防ぐことはできない。
また、この発明の場合、過電流や圧迫により発熱し、これが原因で火災となる事      態を防止することはできない。
【０００３】
２．特開２００１−１１８６４４号公報
この内容は、たこ足配線により過電流が発生したときに火災等が発生しないよう      にするため、「コンセントソケット１に、現在の使用電流値Ａ表示手段及びサーモ      スタット作動の電源自動遮断リミットスイッチと、このスイッチ作動と同時に警報      するブザー手段３とを設けた」ことを特徴とするものである。
しかし、この内容は、たこ足配線には効果を発揮しても、電気コードの圧迫や、      トラッキング現象により火災が発生する危険は回避できない。
【０００４】
３．特開平１１−２３３２０４号公報
この内容は、コンセントやプラグが過熱し、これにより発生する火災を防止する      ために「電源コンセント（１）・電源プラグ（２）の電極Ａ（５）に、バイメタル      （９）を接続して電源コンセント（１）・電源プラグ（２）内部に収めた。バイメ      タル（９）に信号板（８）を連動させて信号板表示窓（４）で過熱状況が確認でき      るよう」に構成したことを特徴とするものである。
しかし、この内容は、ブレーカーを作動させる力としてバイメタルの変形を利用      するものであるため、問題のコンセント部分だけに対応して作動しないことから、      家中が停電状態となり、作動したときの影響が大きい。
【０００５】
４．特開平０９−３２７１１９号公報
この内容は、「漏電ブレーカを備えた給電回路の適宜な場所における地震の震動      またはトラッキングによる発熱を検知し、前記漏電ブレーカを作動させ回路の電流      を遮断して電気火災を未然に防止するために、漏電ブレーカ１１を備えた給電回路      に設けられたコンセントタップ２または中間コンセントプラグ３に、異常検出器２      ５、３５とこの異常検出器２５、３５の信号により地絡電流を発生させる電流制限      抵抗２６、３６、スイッチ部２６、３７からなる地絡発生回路とを内蔵させる。こ      れにより異常時には地絡電流を発生させて、漏電ブレーカを作動させる」内容であ      る。
しかし、この内容の場合、中間コンセントプラグの内部構造（回路）が複雑にな      ると共に、この回路に故障が発生しやすく、また中間コンセントプラグの製作にコ      ストがかかるという欠点がある。
【特許文献１】特開２００３−１９７３０１号公報
【特許文献２】特開２００１−１１８６４４号公報
【特許文献３】特開平１１−２３３２０４号公報
【特許文献４】特開平０９−３２７１１９号公報
【発明の開示】
【発明が解決しようとする課題】
【０００６】
本発明の目的は、容量オーバー、たこ足配線、電気コードの圧迫、トラッキング現象等によりコンセント部分において発熱があると、直ちにこれを検知して作動し、プラグをコンセントから強制的に引き抜くか、電気回路をＯＦＦに制御すると共に、構造が簡単で、確実に作動し、低コストにより製作することができる電気コンセントにおける火災発生防止装置を提供することである。
【課題を解決するための手段】
【０００７】
上記目的を達成するため、請求項１に記載の発明においては、電気コンセントにおける火災発生防止装置において、ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記アダプター本体のプラグ形成面に形成されたロッド組込穴内に出入り自在に組み込まれたアダプター本体引き抜き用のロッドと、
ｃ．前記ロッド組込穴の奥内に組み込まれていて、前記ロッドをプラグ形成面から突出させるスプリングと、
ｄ．前記ロッド組込穴内にロッドを前記スプリングの力に抗して押し込んで止めておき、アダプター本体が一定温度以上に上昇すると溶解して前記ロッドを解放し、前記スプリングの力でプラグ形成面からロッドを突出させてアダプター本体をソケットから引き抜く感熱手段と、
ｅ．から成ることを特徴とするものである。
【０００８】
更に、請求項２に記載の発明においては、電気コンセントにおける火災発生防止装置において、ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記アダプター本体のプラグ形成面に形成されたロッド組込穴内に出入り自在に組み込まれたアダプター本体引き抜き用のロッドと、
ｃ．前記ロッド組込穴の奥内に組み込まれていて、アダプター本体が一定温度以上に上昇すると熱膨張して前記ロッドをプラグ形成面から突出させてアダプター本体をソケットから引き抜く熱膨張材と、
ｅ．から成ることを特徴とするものである。
【０００９】
更に、請求項３に記載の発明においては、電気コンセントにおける火災発生防止装置において、ａ．一端面に給電端末に取り付けられたコンセントに装着するためのプラグを形成し、この反対の端面には、前記プラグと導通状態にある器具側プラグ装着用のコンセントを形成して成るアダプター本体と、
ｂ．前記プラグとコンセント間をアダプター本体内において導通する導通片と、
ｃ．前記導通片は一部で切断されていて、この切断部を結線し、前記アダプター本体の温度が一定温度以上に上昇すると溶解して前記結線状態を解除するハンダと、
ｄ．前記導通片の切断部において、ハンダが溶解したときに導通片の一方又は双方に対して離れる方向に力を付与する弾性体と、
ｅ．から成ることを特徴とするものである。
【００１０】
更に、請求項４に記載の発明においては、請求項３に記載の電気コンセントにおける火災発生防止装置に記載の発明において、前記導通片の切断部において、前記ハンダが溶解して導通片が弾性体の力で変位したときに、この変位に連動してアダプター本体から露出して導通状態がＯＦＦとなっていることを示すインジケータをアダプター本体の一部に取り付けて成ることを特徴とするものである。
この発明によると、火災発生防止装置が作動したことを確認することができる。
【００１１】
更に、請求項５に記載の発明においては、請求項１〜４のいずれか１項に記載の電気コンセントにおける火災発生防止装置において、前記プラグ本体の一部に警報器を取り付け、前記アダプター本体が電源ソケットから引き抜かれたとき、又は導通片がＯＦＦとなったときに前記警報器の電源をＯＮに制御して警報音を発生するための警報回路を付加して成ることを特徴とするものである。
この発明によると、火災発生防止装置が作動したことを警報音で確認することができる。
【発明の効果】
【００１２】
本発明は以上のように、ストラッキング等によりアダプター本体部分において発熱があると、この熱でロッドが作動してアダプター本体をコンセントから引き抜くため、火災の発生を未然に防止することができる。
また、アダプター本体内において、プラグからコンセントに電流を流す導体部に一定の温度が作用すると溶断するスイッチ機構を取り付けておくことにより、この場合もアダプター本体部分において発熱があると器具側に流れる電流を遮断して火災の発生を未然に防止することができる。
また、本発明では、ハンダ、熱膨張材等の感熱体で発熱を感知するため、確実に作動し、製作コストも安くて済むという利点がある。
【実施例１】
【００１３】
請求項１に記載した発明に対応する実施例を図１及び図２に基づいて詳細に説明する。
図１は、本発明に係る火災発生防止装置と、給電端子側コンセント及び器具側プラグを示すもので、１が火災発生防止装置、２が給電側コンセント、３が器具側プラグである。
上記火災発生防止装置１は、図１及び図２に示すように、アダプター本体４の一端面（形成面）５ａに前記コンセント２に接続するためのプラグ５を形成し、この反対側端面（形成面）６ａに器具側プラグ３を接続するためのコンセント６を形成し、更にプラグ５の形成面５ａには、ロッド組込穴７を形成し、この穴内７には、出入り自在にアダプター本体４を引き抜くためのロッド８が組み込まれている。
【００１４】
更に、前記ロッド組込穴７内の奥内には、前記ロッド８をプラグ５の形成面５ａから前方に突出させるためのスプリング９を組み込まれている。
更に、前記ロッド組込穴７の入口には、ロッド８を前記スプリング９の力に抗して押し込んで止めておき、アダプター本体４が一定温度以上に上昇すると溶解して前記ロッド８を解放し、前記スプリング９の力でプラグ５の形成面５ａからロッド８を突出させて、図２（Ｂ）に示すように、アダプター本体４をソケット２から引き抜くための感熱手段としてのハンダ１０が設けられている。なお、感熱手段としてのハンダ１０は、その他の低温で溶解する部材に変更してもよい。
【実施例２】
【００１５】
本実施例２は、請求項２に記載の発明に対応するもので、図３（Ａ）（Ｂ）に示すように、アダプター本体４及びこのアダプター本体４内に組み込まれたアダプター本体４の引き抜き用のロッド８の構造は実施例１と同じであるが、前記ロッド組込穴７の奥内には、スプリング９ではなく、アダプター本体４が一定温度以上に上昇すると熱膨張して前記ロッド８をプラグ５の形成面５ａから突出させてアダプター本体４をソケット２から引き抜く熱膨張材（熱膨張黒鉛）１１が組み込まれている。
【００１６】
本実施例２の場合、アダプター本体４が一定温度以上に上昇すると、この発熱により熱膨張材１１が熱膨張して、図３（Ａ）の状態から（Ｂ）に示すように、ロッド８をプラグ形成面５ａから突出してアダプター本体４を引き抜く。
【実施例３】
【００１７】
本実施例３は、請求項３及び４に記載した発明に対応するもので、この特徴は、アダプター本体４内に感熱で作動するスイッチ機構１２を組み込んだ内容の実施例である。
本実施例３を図４〜図６に基づいて詳細に説明する。図４は、アダプター本体４の内部において、プラグ５とソケット６間を導通する導通片１２ａを途中で切断し、この切断した部分をハンダ１３で結線したもので、アダプター本体４が一定温度以上に上昇すると、ハンダ１３が溶解し、スプリング１４の力で切断した導通片１２ａを図４（Ｃ）に示すように強制的に上下方向に引き離して導通をＯＦＦに制御する内容である。
なお、導通片１２ａをスプリング１４でＯＦＦに制御する手段としては、図４（Ｄ）に示すように、スプリング１４で＋と−との導通片１２ａを互いに引き寄せる方法としても良い。勿論互いに離反させる方法としても良い。
【００１８】
また、図５（Ａ）〜（Ｃ）は、ハンダ１３が溶解したときに、（Ｃ）に示すように、バネ１５で導通片１２ａを押し上げてＯＦＦに制御する方式とすることもできる。
１６は、インジケータであって、このインジケータ１６は、導通片１２ａに連動してアダプター本体４の一部から露出してＯＦＦ状態の確認がとれるようにするためのものである。
以上は、スプリング１４又はバネ１５の力を利用して導通片１２ａを強制的に離反させてＯＦＦに制御する例であるが、この離反のためには、形状記憶合金の性質を利用しても良い。
また、導通片１２ａ自体に弾性力付与し、図６（Ａ）（Ｂ）に示すように、ハンダ１３で結線しておき、このハンダ１３が溶解したときに（Ｃ）に示すように、導通片１２ａの弾性力でＯＦＦに制御するようにしても良い。
【図面の簡単な説明】
【００１９】
【図１】本発明に係る火災防止装置の説明図
【図２】実施例１の説明図
【図３】実施例２の説明図
【図４】導通片を途中で切断し、ハンダで結線した例を示し、（Ａ）（Ｂ）は結線状態、（Ｃ）はＯＦＦの作動状態の説明図、（Ｄ）はＯＦＦの別の作動状態の説明図
【図５】導通片をバネでＯＦＦに制御する例を示し、（Ａ）（Ｂ）は結線状態の説明図、（Ｃ）はＯＦＦの作動例の説明図
【図６】導通片の弾性を利用してＯＦＦに制御する例を示し、（Ａ）（Ｂ）は結線状態、（Ｃ）はＯＦＦの作動例の説明図
【符号の説明】
【００２０】
１  火災防止装置
４  アダプター本体
８  アダプター本体の引き抜き用ロッド
９  スプリング
１０  ハンダ
１１  熱膨張材
１２  スイッチ機構
１２ａ  導通片
１４  スプリング
１５  バネ
１６  インジケータ
【図１】
2009043434.tif 000003
【図２】
2009043434.tif 000004
【図３】
2009043434.tif 000005
【図４】
2009043434.tif 000006
【図５】
2009043434.tif 000007
【図６】
2009043434.tif 000008